(57)【要約】      （修正有）【課題】固定素子を収容空間に最適に位置決めおよび案内できる打ち込み装置を得る。【解決手段】固定素子ガイド１５内で軸線方向に移動可能に配置する固定素子５１のための砲口部材と、部分的に案内面で包囲した固定素子５１のための収容空間と、収容空間内の固定素子５１を検出する検出素子３１とを設け、検出素子３１の収容空間側の側面に、砲口部材の長手方向に平行に延在する、固定素子５１のための第１案内面３４を設けた打ち込み装置において、検出素子３１の収容空間側の側面に、第１案内面３４の両側で、それぞれ長手方向Ｌに平行に延在する、凹状の第２、および第３の案内面３５，３６を設ける。好適には、検出素子３１の収容空間側の側面に、半殻状の管セグメントとして構成した検出部分３３を設け、この検出部分３３に案内面３４，３５，３６を設ける。【選択図】図３
2007320029.tif 000002
【特許請求の範囲】
【請求項１】
固定素子ガイド（１５）内で軸線方向に移動可能に配置する固定素子（５１）のための砲口部材（２０）と、
部分的に案内面で包囲した前記固定素子（５１）のための収容空間（２３）と、前記収容空間（２３）内の前記固定素子（５１）を検出する検出素子（３１）とを設け、前記検出素子（３１）の前記収容空間（２３）側の側面に、前記砲口部材（２０）の長手方向（Ｌ）に平行に延在する、前記固定素子（５１）のための第１案内面（３４）を設けた打ち込み装置において、
前記検出素子（３１）の前記収容空間（２３）側の側面に、前記第１案内面（３４）の両側で、それぞれ前記長手方向（Ｌ）に平行に延在する、凹状の第２、および第３の案内面（３５，３６）を設けたことを特徴とする打ち込み装置。
【請求項２】
前記検出素子（３１）の前記収容空間（２３）側の側面に、半殻状の管セグメントとして構成した検出部分（３３）を設け、この検出部分（３３）に前記案内面（３４，３５，３６）を設けた請求項１記載の手持ち打ち込み装置。
【請求項３】
前記第１、第２および第３の案内面（３４，３５，３６）の全てが包囲する前記収容空間（２３）の領域を、半径方向に１２０°〜１８０°の範囲にわたる領域とした請求項１または２記載の手持ち打ち込み装置。
【請求項４】
前記第１、第２および第３の案内面（３４，３５，３６）の全てが包囲する前記受容空間（２３）の領域を、少なくとも半径方向に１４０°〜１６０°の範囲にわたる領域とした請求項１〜３いずれか一項に記載の手持ち打ち込み装置。
【請求項５】
前記検出素子（３１）を、砲口部材（２０）の基体（２１）に設けた軸受（３８）により、前記長手方向（Ｌ）に平行な軸線の周りに回動可能に取り付けた請求項１〜４いずれか一項に記載の手持ち打ち込み装置。
【発明の詳細な説明】
【技術分野】
【０００１】
本発明は、請求項１の前半に書かれた特徴を備える、砲口部材を設けた手持ち打ち込み装置（鋲打ち機）、すなわち、固定素子ガイド）内で軸線方向に移動可能に配置する固定素子のための砲口部材と、部分的に案内面で包囲した前記固定素子のための収容空間と、前記収容空間内の前記固定素子を検出する検出素子とを設け、前記検出素子の前記収容空間側の側面に、前記砲口部材の長手方向に平行に延在する、前記固定素子のための第１案内面を設けた打ち込み装置に関する。
このような、砲口部材を設けた打ち込み装置は、例えば固体、気体もしくは液体による燃料、または圧縮もしくは圧搾空気、または電気駆動により作動可能である。燃焼力駆動式の打ち込み装置においては、高圧燃焼ガスで駆動する打ち込みピストンにより、固定素子を基礎構造に打ち込むことができる。
【背景技術】
【０００２】
特許文献１には、砲口部材内に移動可能に案内した固定素子ガイド、およびこの砲口部材の側方に、固定素子のためのマガジンを張り出して設けた、固定素子を打ち込むための打ち込み装置（鋲打ち機）が記載されている。砲口部材内には、次に打ち込まれる固定素子を収容する収容空間を設け、この収容空間は、マガジンにおける固定素子のための案内チャネルに開口させる。収容空間に設けた案内面によって、収容空間内に固定素子は案内され、整列される。さらに砲口部材には、固定素子のための検出素子を設け、この検出素子により、砲口部材の収容空間内における固定素子の有無を検出することができる。案内面は、一方では固定素子ガイドに構成し、他方では検出素子に構成する。このとき検出素子は、軸線方向に延在する固定素子ガイドのスリットを経て固定素子ガイド内に係合し、軸線方向に延在し、かつ軸線方向に直交する方向に僅かに突出する幅の狭い案内面を設ける。 固定素子が収容空間内にない場合、検出素子は安全ロック位置をとり、砲口部材内での固定素子ガイドの移動が阻止される。打ち込み作業は、この安全ロック位置では不能となる。
【特許文献１】米国特許出願公開２００５／００１７０４６号明細書
【０００３】
この既知の打ち込み装置の欠点は、案内面の一部分を軸線方向に移動可能な固定素子ガイドに設けることに起因して、とくに、固定素子が残りわずかしかマガジンの案内チャネルにないとき、収容空間内の固定素子が、固定素子ガイドの移動に際して適正に位置決めされない恐れがある点にある。
【発明の開示】
【発明が解決しようとする課題】
【０００４】
したがって、本発明の課題は、砲口部材を設けた打ち込み装置（鋲打ち機）において、上述した欠点を回避し、固定素子を最適に収容空間に位置決めおよび案内できる打ち込み装置を得ることにある。
【課題を解決するための手段】
【０００５】
この課題は、独立請求項に記載の特徴を有する本発明打ち込み装置によって達成される。本発明によれば、検出素子の収容空間側の側面に、砲口部材の長手方向に平行に延在する凹状の第２、第３の案内面を設け、これら第２、および第３の案内面は、それぞれ第１案内面の長手方向両側に隣接させて配置するか、もしくは、それぞれ第１案内面の側方両側に隣接させて構成する。
【発明の効果】
【０００６】
固定素子もしくは、これら固定素子細条帯の支持セグメントを収容するこのような案内面を、移動する固定素子ガイドに対して静止状態をとる検出素子に設けることにより、固定素子の支持セグメントとの充分な摩擦係合が得られ、このため、とくにマガジン内に固定素子が少数しか残っていない場合にも、打ち込み装置の押し付けの際に、収容空間内にある固定素子の抜け出しもしくは転傾を確実に防ぐことができる。
【発明を実施するための最良の形態】
【０００７】
本発明の好適な実施形態においては、検出素子の収容空間側の側面に、半殻状の管セグメントとして構成した検出部分を設け、この検出部分に案内面を設ける。この構成により、必要なとされる構成空間を大幅に拡大することなく、簡単な方法で充分な面積を案内面に持たせることができる。
【０００８】
さらに、第１、第２および第３の案内面の全てが包囲する収容空間の領域を、半径方向に１２０°〜１８０°の範囲にわたる領域とすると好適である。この構成により、砲口部材の基体や固定素子ガイドに、付加的に案内面を設ける必要がなくなる。好適には、第１、第２および第３の案内面の全てが包囲する収容空間領域を、少なくとも半径方向に１４０°〜１６０°の範囲にわたる領域とする。この構成により、一方で、支持セグメントの最適な案内と、他方で、検出素子の妨害のない回動挙動が得られる。
【０００９】
好適には、検出素子を、砲口部材の基体に設けた軸受により長手方向に平行に軸線の周りに回動可能に取り付ける。この構成により、摺動する素子と比較すると摩擦が少ないため、検出素子の最適機能が保証される。さらに、検出素子は、回動構成にすることで砲口部材の長手方向の構造空間を節減でき、このようにしない場合、マガジンの上方もしくは対向する位置に配置しなければならなくなる。
以下、図面につき本発明の好適な実施例を説明する。
【実施例】
【００１０】
図１〜４には、燃焼力駆動式の手持ち打ち込み装置（鋲打ち機）１０を示す。この打ち込み装置１０の、単体構成もしくは複数部分構成のハウジング１１内には、図示しない打ち込み機構を設け、この打ち込み機構の案内シリンダ１４内に移動可能に案内した打ち込みピストンにより、固定素子５１を構造素子Ｋに打ち込む。また、打ち込み作業を開始するための作動スイッチ１３を、打ち込み装置１０のグリップ１２に設ける。
【００１１】
打ち込み装置１０のハウジング１１には、全体的に参照符号２０で示した砲口部材２０を設ける。特に図１および図２に示すように、この砲口部材２０は、案内シリンダ１４の一方の端部に連結する。砲口部材２０において、固定素子ガイド１５を、砲口部材２０の基体２１に対して相対移動可能に案内する。このとき固定素子ガイド１５は、図面では見えていないばね素子で、基体２１もしくはハウジングにおける他の固定部分に支持し、図１に示す、押圧されていない位置に弾性的に偏倚させる。図２に示すように、打ち込み装置１０を構造素子Ｋに押し付けると、固定素子ガイド１５は案内シリンダ１４の方向に移動し、ばね素子に押圧力が加わる。このとき、固定素子ガイド１５に固着した押圧感知素子１６が固定素子ガイド１５と一緒に移動し、これにより、打ち込み装置１０は打ち込み準備完了状態に移行し、このとき、作動スイッチ１３によって、打込み作業を動作させることができる。押圧感知素子１６、およびこの押圧感知素子１６に連動する、図示しない制御素子によって、例えば燃焼室の弁手段などを作動させる。
【００１２】
砲口部材２０に設けた収容空間２３は、固定素子ガイド１５の長手方向Ｌに延在させる。収容空間２３に正常に位置決めされた固定素子５１のみが、打ち込みピストンに捉えられ構造素子Ｋに打ち込むことができる。好適には、取り外し可能に砲口部材２０に取り付けたマガジン４０によって、固定素子５１は収容空間２３に供給される。このときマガジンは、連結部４２を介し、砲口部材２０の基体２１に固着する。マガジン４０内に構成した案内空間４３に、固定素子５１を案内する。このとき固定素子５１は、例えば固定素子細条帯５０として１つに統合することで案内空間４３に案内可能とし、複数個の固定素子５１は、複数個の支持セグメント５２からなる支持素子に取り付ける。
【００１３】
図１、図２および図４に示す、マガジン４０内に設けた移送素子４１は、その作動位置において、図示しないばね素子により収容空間２３に向けて偏倚させ、固定素子の収容空間２３への移送を保証する。
【００１４】
さらに、砲口部材２０に設けた検出素子３１により、固定素子５１が収容空間２３に存在するか否かを検出する。この検出素子３１は、固定素子５１が収容空間２３内にあり、打ち込み装置１０が構造素子Ｋに押し付けられたときにのみ、打ち込み作業が作動できるようにする。さらに検出素子３１は、収容空間２３のマガジン４０とは反対側に取り付け、検出素子３１は収容空間２３を少なくとも部分的に包囲する。検出素子３１は、長手方向Ｌに平行な軸線の周りに軸受３８によって回動可能に、砲口部材２０の基体２１に取り付けたレバーとして構成する（とくに、図３および４を参照）。
【００１５】
検出素子３１の第１アームは、固定素子５１の検出部分３３として構成し、第２アームは、押圧感知素子１６に取り付けたストッパ１７のカウンタストッパ３７を備える張り出し部３２として構成する。検出部分３３は、その収容空間２３側の側面を半殻状の管体セグメントとして構成し、長手方向Ｌに平行に延在する２個の凹状の案内面３５，３６を設け、これら案内面３５，３６間に、溝状にへこんだ長手方向Ｌに平行に延在する第１案内面３４ を設ける。第１案内面３４、および凹状である第２、第３の案内面３５，３６を有する検出部分の内側輪郭は、固定素子細条帯５０の支持セグメント５２の外側輪郭と最適にかみ合い、その案内と位置決めを良好に行うのを保証する。このとき、溝状にへこんだ第１案内面３４は、支持セグメント５２のウェブ状部分５３を案内する。第１，第２および第３の案内面３４，３５，３６は、半径方向に１２０°〜１８０°、好適には約１４０°〜１６０°にわたって、収容空間２３を包囲する。
【００１６】
このとき、図示しないばね素子によって、検出素子３１をその遮断位置に偏倚し、固定素子５１が案内空間１８内になければ、検出素子３１は基体２１の案内空間１８内に進入し、これを狭める。図４に示す遮断位置において、検出素子３１は、固定素子ガイド１５と基体２１との間の相対運動を阻止し、基体２１内において、この状態では、押圧感知素子１６のストッパ１７は、検出素子３１に設けたカウンタストッパ３７対向する状態に位置し、押し付けの際に、これとぶつかる。装置の押し付け、またそれに続く打ち込み作業は、この検出素子が遮断位置にあることで、阻止される。
【００１７】
図１には、砲口部材２０をまだ構造素子に押し付けていない、打ち込み装置１０を示す。マガジン４０の案内チャネル４３内には、若干の固定素子細条帯５０の固定素子５１が存在し、とくに、収容空間２３内には固定素子５１が１個存在する。移送素子４１に加わる収容空間２３方向へのばね力が、検出素子３１を偏倚するばね素子の力よりも大きいため、検出素子３１は、固定素子５１によって、図３に示すその解放位置に押圧される。図２に示すように、検出素子３１がこの解放位置にあるとき、打ち込み装置１０を構造素子Kに押し付け、またそれに続く打ち込み作業が可能となる。打ち込み装置１０を押し付けるとき、固定素子ガイド１５は、ハウジング１１の方向に、基体２１に対して相対移動する。収容空間２３内にある固定素子５１が、その支持セグメント５２により、検出素子３１の検出部分３３の案内面３４，３５，３６に形状ロック案内および収納され、打ち込み装置１０の押し付けの際に、この固定素子５１の抜け出しもしくは転傾を防ぐことができる。このようにして、打ち込み装置１０は打ち込み作業を開始できる準備状態になる。
【図面の簡単な説明】
【００１８】
【図１】砲口部材を設けた本発明打ち込み装置の、非押し付け状態の一部断面で示す側面図である。
【図２】図１に示す、マガジンを設けた本発明打ち込み装置の、押し付け状態の一部断面で示す側面図である。
【図３】図１に示す、本発明打ち込み装置の砲口部材の、矢印III方向に見た詳細図である。
【図４】図３に示す本発明打ち込み装置の、受容空間が空である場合の砲口部材の詳細図である。
【符号の説明】
【００１９】
１０  打ち込み装置
１１  ハウジング
１２  グリップ
１３  作動スイッチ
１４  案内シリンダ
１５  固定素子ガイド
１６  押圧感知素子
１７  ストッパ
１８  案内空間
２０  砲口部材
２１  基体
２３  収容空間
３１  検出素子
３２  張り出し部
３３  整流部分
３４  第１案内面
３５  第２案内面
３６  第３案内面
３７  カウンタストッパ
３８  軸受
４０  マガジン
４１  移送素子
４２  連結部
４３  案内空間
５０  固定素子細条帯
５１  固定素子
５２  支持セグメント
５３  ウェブ状部分
Ｌ  長手方向
Ｋ  基礎構造
【図１】
2007320029.tif 000003
【図２】
2007320029.tif 000004
【図３】
2007320029.tif 000005
【図４】
2007320029.tif 000006